(57)【要約】【課題】本発明は生ゴミ処理袋の袋口開口縁部の吊り上げ動と袋底中心部の吊り下げ動の同期動作と、上記袋口開口縁部の吊り下げ動と袋底中心部の吊り上げ動の同期動作を確実に惹起することができる生ゴミ処理装置を提供する。【解決手段】処理袋１内に生ゴミ２と微生物を投入し分解処理を促す場合に、処理袋１の袋口３の上方に複数条の吊りチェーン４を周方向に離間して配し、該各吊りチェーン４の各一端４ａを上記処理袋１の開口縁部５に連結すると共に、同各吊りチェーン４の他端４ｂを処理袋１の底部中心部６に連結し、各吊りチェーン４を同時に往動し且つ同時に復動せしめるチェーン駆動装置による、各吊りチェーン４の往動により上記袋口開口縁部５の吊り上げ動と袋底中心部６の吊り下げ動の同期動作を得、上記各吊りチェーン４の復動により上記袋口開口縁部５の吊り下げ動と袋底中心部６の吊り上げ動の同期動作を得る構成とした生ゴミ処理装置。【選択図】        図３
2010137161.tif 000002
【特許請求の範囲】
【請求項１】
柔軟性を有し且つ通気性を有する処理袋内に生ゴミを投入し微生物による分解処理を促す生ゴミ処理装置において、上記処理袋の袋口の上方に複数条の吊りチェーンを周方向に離間して配し、該各吊りチェーンの各一端を上記処理袋の袋口の開口縁部に連結すると共に、同各吊りチェーンの他端を処理袋の底部中心部に連結し、各吊りチェーンを同時に往動し且つ同時に復動せしめるチェーン駆動装置を備え、該各吊りチェーンの往動により上記袋口開口縁部の吊り上げ動と袋底中心部の吊り下げ動の同期動作を得、上記各吊りチェーンの復動により上記袋口開口縁部の吊り下げ動と袋底中心部の吊り上げ動の同期動作を得る構成としたことを特徴とする生ゴミ処理装置。
【請求項２】
上記各吊りチェーンに噛み合うチェーンホイールを夫々備え、各チェーンホイールを単一のモーターにて正方向又は逆方向に同期回転せしめ、該単一のモーターで各吊りチェーンの上記往動と復動を得る構成としたことを特徴とする請求項１記載の生ゴミ処理装置。
【請求項３】
上記処理袋の下位に処理袋を受容する処理袋受容槽を設け、該処理袋受容槽の開口縁部と上記袋口の開口縁部間を蛇腹胴にて連結し、該蛇腹胴を伸縮しつつ上記袋口の開口縁部と袋底中心部の吊り上げ動と吊り下げ動を行う構成としたことを特徴とする請求項１記載の生ゴミ処理装置。
【請求項４】
上記処理袋受容槽と蛇腹胴と処理袋によって画成された下部室の気体を排気する排気装置を備えることを特徴とする請求項１記載の生ゴミ処理装置。
【発明の詳細な説明】
【技術分野】
【０００１】
本発明は柔軟性を有し且つ通気性を有する処理袋内に生ゴミを投入し微生物による分解処理を促す生ゴミ処理装置において、該処理袋内の生ゴミと微生物の均一な攪拌と微生物の活性な分解活動を促すようにした生ゴミ処理装置に関する。
【背景技術】
【０００２】
特許文献１は生ゴミ処理袋の袋口の開口縁部を吊り上げ動し且つ吊り下げ動するワイヤーと、同処理袋の袋底中心部を吊り上げ動し且つ吊り下げ動するワイヤーとが個別に設けられ、各ワイヤーを個別に巻き取り又は巻き出しすることにより袋口の開口縁部の吊り上げ動と袋底中心部の吊り下げ動と、袋口開口縁部の吊り下げ動と袋底中心部の吊り上げ動を得る構成にしている。
【０００３】
【特許文献１】特開平１１−２６３４０２号公報
【発明の開示】
【発明が解決しようとする課題】
【０００４】
然しながら、上記袋口と袋底を別々のワイヤーで吊り上げ動と吊り下げ動する構成では、同期動作が確実に得難い問題を有している。
【０００５】
即ち、上記袋口開口縁部の吊り上げ動と袋底中心部の吊り下げ動を同時に惹起せしめる同期動作と、上記袋口開口縁部の吊り下げ動と袋底中心部の吊り上げ動を同時に惹起せしめる同期動作を得難い問題を有している。
【０００６】
又処理袋開口縁部の周方向に離間した複数箇所を複数条のワイヤーで強力に吊り上げ動することができるが、特許文献１の如く、処理袋の底部中心部を一条のワイヤーで吊り上げ動する構成では負荷が過度にかかり、負荷バランスに欠け、安定で円滑な運転を損なう問題点を有している。
【０００７】
又個々のワイヤーを個別に巻き取り又は巻き出しする装置が複雑となる問題点を有している。
【課題を解決するための手段】
【０００８】
本発明は処理袋の袋口開口縁部の吊り上げ動と袋底中心部の吊り下げ動の同期動作と、上記袋口開口縁部の吊り下げ動と袋底中心部の吊り上げ動の同期動作と、両同期動作を交互に繰り返す動作を確実に得ることができる生ゴミ処理装置を提供するものである。
【０００９】
要述すると、本発明に係る生ゴミ処理装置においては、生ゴミ処理袋の袋口の上方に周方向に離間して配した複数条の吊りチェーンを備える。
【００１０】
上記各吊りチェーンの一端は上記袋口の開口縁部の周方向に離間した各位置に連結し処理袋を吊持する。同時に該各吊りチェーンの他端は上記袋底中心部に連結し処理袋を吊持する。
【００１１】
上記各吊りチェーンを同時に往動し且つ同時に復動せしめるチェーン駆動装置を備え、該チェーン駆動装置により各吊りチェーンを同時に往動し、該各吊りチェーンの同時往動により上記袋口開口縁部の吊り上げ動と袋底中心部の吊り下げ動の同期動作を得る。
【００１２】
又上記チェーン駆動装置により各吊りチェーンを同時に復動し、該各吊りチェーンの同時復動により上記袋口開口縁部の吊り下げ動と袋底中心部の吊り上げ動の同期動作を得る構成としたものである。
【００１３】
上記各吊りチェーンは一端と他端間の延在長の途中において往復動力を与えるチェーンホイールに噛み合わせ、各チェーンホイールを単一のモーターにて正方向又は逆方向に同期回転せしめ、該単一のモーターで各吊りチェーンの上記同時往動と同時復動を得る構成とする。
【００１４】
又上記処理袋の下位に処理袋を受容する処理袋受容槽を設け、該処理袋受容槽の開口縁部と上記袋口の開口縁部間を蛇腹胴にて連結し、該蛇腹胴を伸縮しつつ上記袋口の開口縁部と袋底中心部の吊り上げ動と吊り下げ動を行う構成とする。
【００１５】
又上記処理袋受容槽と蛇腹胴と処理袋によって画成された下部室の気体を排気する排気装置を備える。
【発明の効果】
【００１６】
本発明によれば、生ゴミ処理袋の袋口開口縁部の吊り上げ動と袋底中心部の吊り下げ動の同期動作と、上記袋口開口縁部の吊り下げ動と袋底中心部の吊り上げ動の同期動作を確実に惹起することができ、同時に該両同期動作を交互に繰り返す動作を確実に惹起せしめることができ、生ゴミと微生物の均一な攪拌と微生物の活性な分解活動を促進する目的が有効に達成できる。又装置を簡素化できる。
【００１７】
又吊りチェーンの使用により高重量の生ゴミ負荷に対し充分な強度を確保し、処理袋の開口縁部を吊り上げるチェーンに加わる負荷と、処理袋の袋底中心部を吊り上げるチェーンに加わる負荷をバランスさせ、安定で円滑な運転を行うことができる。
【発明を実施するための最良の形態】
【００１８】
以下本発明を実施するための最良の形態を図１乃至図４に基づいて説明する。
【００１９】
図１乃至図４は柔軟性を有し且つ通気性を有する編組布等から成る処理袋１を用い、該処理袋１内に生ゴミ２を投入すると共に、微生物を混ぜ、両者を攪拌しつつ微生物による生ゴミ２の分解処理を促す生ゴミ処理装置を示す。
【００２０】
図３，図４に示すように、上記生ゴミ処理袋１の袋口３の上方に周方向に離間して配した複数条の吊りチェーン４を備える。
【００２１】
上記各吊りチェーン４の一端４ａは上記袋口３の開口縁部５の周方向に離間した各位置に連結し処理袋１を吊持する。同時に該各吊りチェーン４の他端４ｂは上記処理袋１の袋底中心部６に連結し処理袋１を吊持する。
【００２２】
各吊りチェーン４の他端４ｂは袋口３の中心部を通る軸線上に配したブラケット７に連結し、該ブラケット７に袋底中心部６を連結する。例えばブラケット７の中心部から吊り手１０を垂設し、該吊り手１０の下端に袋底中心部６を連結する。即ち、各吊りチェーン４の他端４ｂはブラケット７を介して袋底中心部６に連結する。
【００２３】
上記袋底中心部６の連結部１１ａ，１１ｂは何れかを係脱可能な既知の連結継手を介して連結し、処理袋１を着脱可能にする。
【００２４】
他方、上記処理袋１の袋口３の開口縁部５に剛性を付与する環状の枠体８を具備せしめ、該枠体８に開口縁部５をベルクロ（商標）の如き面ファスナー９を介して着脱可能に取り付ける。
【００２５】
上記各吊りチェーン４はブラケット７の上方に周方向に離間して配した複数の駆動チェーンホイール１２に夫々掛け、該駆動チェーンホイール１２から袋底中心部６へ向け垂下し、その下端（他端）４ｂをブラケット７に連結すると共に、該駆動チェーンホイール１２に掛けた各吊りチェーン４を後方へ水平に延在して後端を周方向に離間して配した複数のガイド軸又はガイドチェーンホイール１３に夫々掛け、該ガイド軸又はガイドチェーンホイール１３から袋口３の開口縁部５に向け垂下して下端（一端）４ａを枠体８に連結する。即ち各吊りチェーン４の一端４ａを枠体８を介して処理袋１の袋口３の開口縁部５に連結する。該連結手段として面ファスナー９を用い着脱可能にすることは前記の通りである。
【００２６】
図４は上記各吊りチェーン４を同時に往動し且つ同時に復動せしめるチェーン駆動装置を示している。図４に例示の通り、上記各吊りチェーン４は一端４ａと他端４ｂ間の延在長の途中において往復動力を与える前記チェーンホイール１２に噛み合わせ、各チェーンホイール１２を単一のモーター１４にて正方向又は逆方向に同期回転せしめ、該単一のモーター１４で各吊りチェーン４の上記同時往動と同時復動を得る構成とする。
【００２７】
詳述すると、各吊りチェーン４中の一つの吊りチェーン４に噛み合うチェーンホイール１２に回転力を与える上記モーター１４を備え、該駆動チェーンホイール１２の回転軸と他の吊りチェーン４を掛けたチェーンホイール１２の回転軸とをベベルギア１５を介して連動するようにギア結合する。
【００２８】
即ち、一つのチェーンホイール１２の回転駆動力を他のチェーンホイール１２に伝達し、図中二対角に配した四本の吊りチェーン４が上記チェーン駆動装置により同時に往動し、且つ同時に復動する。よって各吊りチェーン４は同時往動し、同時復動する動作を交互に繰り返す。
【００２９】
図３Ａに示すように、上記各吊りチェーン４の同時往動により上記袋口開口縁部５の吊り上げ動と袋底中心部６の吊り下げ動の同期動作を得る。
【００３０】
又図３Ｂに示すように、各吊りチェーン４を同時に復動し、該各吊りチェーン４の同時復動により上記袋口開口縁部５の吊り下げ動と袋底中心部６の吊り上げ動の同期動作を得る。
【００３１】
上記処理袋１の下位には処理袋１を受容する処理袋受容槽１６を設け、該処理袋受容槽１６の開口縁部１７と上記袋口１の開口縁部５（即ち枠体８）間を蛇腹胴１８にて連結し、該蛇腹胴１８を伸縮しつつ上記袋口３の開口縁部５と袋底中心部６の吊り上げ動と吊り下げ動を行う構成とする。
【００３２】
上記処理袋受容槽１６と蛇腹胴１８と処理袋１によって下部室１９を画成し、該下部室１９内の気体をブロワー２０によって外部に排気する排気装置を設ける。又処理袋１上位に画成された上部室２１内の気体を外部に排気する排気装置を設ける。
【００３３】
図１乃至図４に示すように、上記生ゴミ処理装置を形成する各要素１，４，７，８，１２，１３，１４，１５，１６，１８，２０と、モーター１４とホイール１２，１３とギア１５の支持台２２、これに関連する要素は点検ドア２３を有するハウジング２４内に収容する。
【００３４】
上記ハウジング２４の天板には上記下部室１９の気体をハウジング外に排気する排気口２５を設けると共に、上記上部室２１の気体をハウジング外に排気する排気口２６を設ける。
【００３５】
下部室１９内の気体はブロワー２０からハウジング２４内に配管したダクトを通じ上記排気口２５から排気する。
【００３６】
本発明は上記単一のモーター１４で前端のホイール１２を駆動する例に代え、単一のモーター１４で後端のホイール１３を駆動し、全チェーン４を同時駆動する場合を含む。
【図面の簡単な説明】
【００３７】
【図１】生ゴミ処理装置を収容するハウジングの外観を示す側面図。
【図２】同平面図。
【図３】Ａ，Ｂは生ゴミ処理装置における処理袋の開口縁部と底部中心部の吊り上げ動と吊り下げ動を説明する側面図。
【図４】処理袋の駆動装置を示す平面図。
【符号の説明】
【００３８】
１…処理袋、２…生ゴミ、３…袋口、４…吊りチェーン、４ａ…吊りチェーンの一端、４ｂ…吊りチェーンの他端、５…処理袋（袋口）の開口縁部、６…同袋底中心部、７…ブラケット、８…枠体、９…面ファスナー、１０…吊り手、１１ａ，１１ｂ…連結部、１２…駆動チェーンホイール、１３…ガイド軸又はガイドチェーンホイル、１４…モーター、１５…ベベルギア、１６…処理袋受容槽、１７…処理袋受容槽の開口縁部、１８…蛇腹胴、１９…下部室、２０…ブロワー、２１…上部室、２２…支持台、２３…点検ドア、２４…ハウジング、２５…下部室の排気口，２６…上部室の排気口。
【図１】
2010137161.tif 000003
【図２】
2010137161.tif 000004
【図３】
2010137161.tif 000005
【図４】
2010137161.tif 000006